(57)【要約】【課題】ホース本体部の大径化および柔軟性の低下を回避しつつ、経年的な浮力低下に起因するマリンホースラインの水底への沈降を防止できるマリンホースおよびマリンホース用エアバッグ装置を提供する。【解決手段】水圧センサ９と、折り畳み状態でマリンホース１の外表面に取り付けられた袋状浮体１０と、袋状浮体１０にエアを注入する注入機１１とを有するエアバッグ装置８を用いて、水圧センサ９が予め設定された水圧を検知した際に、注入機１１を作動させて折り畳み状態の袋状浮体１０を膨張させて、この膨張した袋状浮体１０の浮力によりマリンホース１のそれ以上の沈降を防止する。【選択図】図１
2014202324.tif 000002
【特許請求の範囲】
【請求項１】
エアバッグ装置を備えたマリンホースであって、前記エアバッグ装置は、水圧センサと、折り畳み状態でマリンホースの外表面に取り付けられる袋状浮体と、前記袋状浮体にエアを注入する注入機とを備え、前記水圧センサが予め設定された水圧を検知した際に、前記注入機を作動させて折り畳み状態の前記袋状浮体を膨張させて、この膨張した袋状浮体の浮力によりマリンホースの沈降を防止する構成にしたことを特徴とするマリンホース。
【請求項２】
折り畳み状態の前記袋状浮体をマリンホースに接続する紐状体を設け、前記膨張した袋状浮体が前記紐状体によってマリンホースに接続された状態で、その浮体表面を水上に突出させる構成にした請求項１に記載のマリンホース。
【請求項３】
前記水圧センサが予め設定された水圧を検知した際に警告を発する警告器を備えた請求項１または２に記載のマリンホース。
【請求項４】
マリンホースに後付けされるマリンホース用エアバッグ装置であって、水圧センサと、折り畳み状態でマリンホースの外表面に取り付けられる袋状浮体と、前記袋状浮体にエアを注入する注入機とを備え、前記水圧センサが予め設定された水圧を検知した際に、前記注入機を作動させて折り畳み状態の前記袋状浮体を膨張させて、この膨張した袋状浮体の浮力によりマリンホースの沈降を防止する構成にしたことを特徴とするマリンホース用エアバッグ装置。
【請求項５】
折り畳み状態の前記袋状浮体をマリンホースに接続する紐状体を設け、前記膨張した袋状浮体が前記紐状体によってマリンホースに接続された状態で、その浮体表面を水上に突出させる構成にした請求項４に記載のマリンホース用エアバッグ装置。
【請求項６】
前記水圧センサが予め設定された水圧を検知した際に警告を発する警告器を備えた請求項４または５に記載のマリンホース用エアバッグ装置。
【発明の詳細な説明】
【技術分野】
【０００１】
本発明は、マリンホースおよびマリンホース用エアバッグ装置に関し、さらに詳しくは、ホース本体部の大径化を回避しつつ、経年的な浮力低下に起因するマリンホースラインの水底への沈降を防止できるマリンホースおよびマリンホース用エアバッグ装置に関するものである。
【背景技術】
【０００２】
海上のタンカーと陸上施設との間を連結して原油等を輸送するマリンホースには、スポンジ等の浮力材からなる浮力層を備えたフローティングタイプのマリンホースがある（例えば、特許文献１参照）。この浮力材は、マリンホースが受ける水圧や曲げ等の外力によって経年的に潰れて浮力が低下する。浮力材による浮力が低下すると、マリンホースがさらに沈むので浮力材がさらに潰れて浮力が益々低下する。そして、マリンホースがある水深まで沈降すると、もはやマリンホースを浮上させる浮力がなくなる、いわゆる、オートサブマージが発生することになる。オートサブマージが発生すると複数のマリンホースが連結されて形成されているマリンホースラインが水底まで沈降してしまうことになる。
【０００３】
このようなマリンホースラインの沈降を防止するために、従来、経年的に低下する浮力を見込んで、浮力材を予め多めに装備していた。しかしながら、経年的な浮力の低下の程度は、マリンホースの使用環境によって異なるため、安全を考慮して浮力材が過多に装備されることになる。そのため、ホース本体部の外径が大きくなるのでマリンホースの取扱い性が低下する。また、ホース本体部の大径化に伴って柔軟性が低下するので、これによっても取扱い難くなるという問題が生じる。
【先行技術文献】
【特許文献】
【０００４】
【特許文献１】特開２００９−２７５７８５号公報
【発明の概要】
【発明が解決しようとする課題】
【０００５】
本発明の目的は、ホース本体部の大径化および柔軟性の低下を回避しつつ、経年的な浮力低下に起因するマリンホースラインの水底への沈降を防止できるマリンホースおよびマリンホース用エアバッグ装置を提供することにある。
【課題を解決するための手段】
【０００６】
上記目的を達成するため本発明のマリンホースは、エアバッグ装置を備えたマリンホースであって、前記エアバッグ装置は、水圧センサと、折り畳み状態でマリンホースの外表面に取り付けられる袋状浮体と、前記袋状浮体にエアを注入する注入機とを備え、前記水圧センサが予め設定された水圧を検知した際に、前記注入機を作動させて折り畳み状態の前記袋状浮体を膨張させて、この膨張した袋状浮体の浮力によりマリンホースの沈降を防止する構成にしたことを特徴とする。
【０００７】
本発明のマリンホース用エアバッグ装置は、マリンホースに後付けされるマリンホース用エアバッグ装置であって、水圧センサと、折り畳み状態でマリンホースの外表面に取り付けられる袋状浮体と、前記袋状浮体にエアを注入する注入機とを備え、前記水圧センサが予め設定された水圧を検知した際に、前記注入機を作動させて折り畳み状態の前記袋状浮体を膨張させて、この膨張した袋状浮体の浮力によりマリンホースの沈降を防止する構成にしたことを特徴とする。
【発明の効果】
【０００８】
本発明のマリンホースによれば、水圧センサと、折り畳み状態でマリンホースの外表面に取り付けられた袋状浮体と、前記袋状浮体にエアを注入する注入機とを有するエアバッグ装置を用いるので、ホース本体部の大径化および柔軟性の低下を回避することが可能になる。そして、前記水圧センサが予め設定された水圧を検知した際に、前記注入機を作動させて折り畳み状態の前記袋状浮体を膨張させて、この膨張した袋状浮体の浮力によりマリンホースの沈降を防止するので、マリンホースの使用環境によらず、確実に、経年的な浮力低下に起因するマリンホースラインの水底への沈降を防止できる。
【０００９】
本発明のマリンホース用エアバッグ装置によれば、既存のマリンホースに取り付けることができる。そのため、本発明のマリンホースにより得られる上述した効果を、既存のマリンホースにおいても得ることができる。
【図面の簡単な説明】
【００１０】
【図１】本発明のマリンホースの一部を例示する縦断面図である。
【図２】複数のマリンホースが連結されて形成されたマリンホースラインを例示する説明図である。
【図３】エアバッグ装置を例示する説明図である。
【図４】図３の袋状浮体が膨張した状態のマリンホースを例示する説明図である。
【図５】エアバッグ装置の変形例を示す説明図である。
【図６】図５の袋状浮体が膨張した状態のマリンホースを例示する説明図である。
【発明を実施するための形態】
【００１１】
以下、本発明のマリンホースおよびマリンホース用エアバッグ装置を図に示した実施形態に基づいて説明する。
【００１２】
図１、図２に例示する本発明のマリンホース１は、当初からマリンホース用エアバッグ装置８（以下、エアバッグ装置８という）が装備されて製造されたものである。一方、本発明のエアバッグ装置８は、既存のマリンホースに後付けされるものである。
【００１３】
このマリンホース１は、長手方向両端に別のマリンホース１を連結する連結金具２を備え、連結金具２は一端にフランジ２ａを備えたニップル２ｂで構成されている。図２に例示するように、マリンホース１は互いの連結金具２どうしで連結され、連結された複数のマリンホース１によりマリンホースラインを形成する。
【００１４】
ニップル２ｂの外周には外周側に向かって順に、内面ゴム層３、主補強層４、本体ワイヤ層５が巻付けられて積層され、最外周はカバーゴム層７で覆われている。内面ゴム層３の内周側が流体流路１ａとなる。図１の線分ＣＬは、マリンホース１の軸方向に延びる中心線である。
【００１５】
本体ワイヤ層５とカバーゴム層７との層間には、スポンジ等の浮力材で形成された浮力層６が設けられている。即ち、本発明はフローティングタイプのマリンホース１に適用されるものである。
【００１６】
輸送する流体に接する内面ゴム層３は、耐油性に優れたアクリロニトリルゴム等で構成され、本体ワイヤ層５は、主補強層４の外周のゴム層に金属ワイヤを所定間隔をあけて螺旋状に巻付けて構成されている。主補強層４は補強コードをゴムで被覆した複数の補強コード層を積層して構成されている。
【００１７】
主補強層４、本体ワイヤ層５のそれぞれの一端部のニップルワイヤ４ａ、５ａは、ニップル２ｂの外周面に突設された固定リング２ｃ等により、ニップル２ｂに固定されている。カバーゴム層７は、ゴム等の非透水性材料で構成され、かつ表面には視認性に優れたライン模様等が付されている。尚、マリンホース１は、図１に例示した構造に限定されるものではない。
【００１８】
エアバッグ装置８は、例えば、連結金具２のニップル２ｂの外周側、フランジ２ａ、またはホース本体部（連結金具２以外の部分）に取り付けられる。マリンホース１に取り付けられるエアバッグ装置８の数は特に限定されず、単数または複数にすることができる。
【００１９】
図３に例示するように、エアバッグ装置８は、水圧センサ９と、折り畳み状態でマリンホース１の外表面に取り付けられる袋状浮体１０と、袋状浮体１０にエアを注入する注入機１１とを備えている。水圧センサ９は予め設定された水圧になると注入機１１を作動させる。袋状浮体１０は例えばゴム製であり、小さく折り畳まれて折り畳み状態になっている。注入機１１は圧縮エアを収容したボンベおよび圧縮エアを噴出するノズルを備えている。
【００２０】
この実施形態では、折り畳み状態の袋状浮体１０が締付けベルト等の取付具１２により、マリンホース１（連結金具２またはホース本体部）の外表面に取り付けられている。水圧センサ９および注入機１１は、防水ケースに収容されて、締付けベルト、ボルト、接着剤等の取付具１２により、マリンホース１の外表面に取り付けられている。
【００２１】
さらに、この袋状浮体１０は、紐状体１３によってマリンホース１に接続されている。紐状体１３としては、スチールコード製ロープ、スチールチェーン、樹脂製ロープ等を用いることができる。
【００２２】
また、水圧センサ９が予め設定された水圧を検知した際に警告を発する警告器１４が備わっている。警告器１４としては、点灯ライト、ブザー等を用いることができる。或いは、マリンホース１から離れた位置に配置された受信機に警告信号を送信する警告器１４を用いることができる。
【００２３】
浮力層６の浮力材は経年的に潰れて、浮力層６による浮力が徐々に低下する。これにより、マリンホース１が予め設定された水圧になる水深まで沈むと、図４に例示するように、水圧センサ９が予め設定された水圧を検知して、注入機１１を作動させてボンベから圧縮エアを折り畳み状態の袋状浮体１０に注入して膨張させる。折り畳み状態の袋状浮体１０をマリンホース１に固定していた取付具１２は、袋状浮体１０が膨張した際に、例えば、その膨張力によって切断される。
【００２４】
この膨張した袋状浮体１０の浮力により、マリンホース１には浮力が付加されるので、それ以上の沈降が防止される。即ち、オートサブマージが発生する前に、袋状浮体１０が膨張してマリンホース１に追加的な浮力を付加するので、マリンホースラインが水底まで沈降することを防止できる。したがって、オートサブマージが発生しない水深の水圧が、注入機１１を作動させる予め設定された水圧として設定される。
【００２５】
この実施形態では、膨張した袋状浮体１０が紐状体１３によってマリンホース１に接続された状態で、その浮体表面を水上に突出させる。そのため、水上に突出した袋状浮体１０の浮体表面を目視することで、浮力層６による浮力が不足していることが把握できる。警告器１４を設けた場合は、警告器１４が発する警告によっても、浮力層６による浮力が不足していることが把握できる。
【００２６】
膨張した袋状浮体１０により、マリンホース１に追加的な浮力が付加されるので、オートサブマージが発生するまでの時間を遅らせることができる。そこで、浮力層６による浮力が不足していることを把握した後は、そのマリンホース１を交換する等の処置をする。
【００２７】
エアバッグ装置８は、水圧センサ９と、折り畳み状態の袋状浮体１０と、袋状浮体１０にエアを注入する注入機１１とで構成されるので、かさばらずにコンパクトな構成となる。警告器１４を備えた場合でも、コンパクトさを確保できる。それ故、ホース本体部の大径化を回避することが可能になり、取扱い性の低下を防止できる。ホース本体部の大径化が回避されることに伴って、ホース本体部（マリンホース１）の柔軟性が損なわれることがなくなるので、これによっても取扱性の低下を防止できる。
【００２８】
また、水圧センサ９が予め設定された水圧を検知した際に、袋状浮体１０を膨張させて、この膨張した袋状浮体１０の浮力によりマリンホース１に追加的な浮力を付加するので、マリンホース１の使用環境によらず、確実に、経年的な浮力層６の浮力低下に起因するマリンホースラインの水底への沈降を防止できる。
【００２９】
本発明のエアバッグ装置８は、既存のマリンホースに後付けできるので、本発明のマリンホース１により得られる上述した効果を、既存のマリンホースにおいても得ることができる。
【００３０】
図５に例示するように紐状体１３を用いることなく、例えば、ボルトや接着剤等の取付具によって、折り畳み状態の袋状浮体１０をマリンホース１の外表面に取り付けることもできる。この実施形態では、膨張した際に環状になる袋状浮体１０がマリンホース１に接続されている。
【００３１】
マリンホース１が予め設定された水圧になる水深まで沈むと、図６に例示するように、水圧センサ９が予め設定された水圧を検知して、注入機１１を作動させてボンベから圧縮エアを折り畳み状態の袋状浮体１０に注入して膨張させる。そして、マリンホース１に外嵌された状態で膨張した袋状浮体１０の浮力により、マリンホース１には浮力が付加されて、それ以上の沈降が防止される。これにより、マリンホースラインが水底まで沈降することを防止できる。
【符号の説明】
【００３２】
１  マリンホース
１ａ  流体流路
２  連結金具
２ａ  フランジ
２ｂ  ニップル
２ｃ  固定リング
３  内面ゴム層
４  主補強層
４ａ  ニップルワイヤ
５  本体ワイヤ層
５ａ  ニップルワイヤ
６  浮力層
７  カバーゴム層
８  エアバッグ装置
９  水圧センサ
１０  袋状浮体
１１  注入機
１２  取付具
１３  紐状体
１４  警告器
【図１】
2014202324.tif 000003
【図２】
2014202324.tif 000004
【図３】
2014202324.tif 000005
【図４】
2014202324.tif 000006
【図５】
2014202324.tif 000007
【図６】
2014202324.tif 000008